(57)【要約】【課題】【解決手段】環状ニットブラ（１０）が提供されている。このブラは、外側繊維（２０）と内側繊維（５０）と、ブラ底部（３５）とを備えた胴部を有する胴包囲形状を有する。外側繊維と内側繊維とは、各々が、下エッジを有する。外側繊維と内側繊維とは、二重層を形成している。内側繊維の下エッジの一体的に編まれた補強された留め胸バンド（７０）は、折り線を形成している。この折り線によって、留め胸バンドが外側繊維によって隠される。ブラ底部は、平坦な直線状の完成されたエッジ、装飾的なスカロップ形のエッジ、もしくは、ビーズ飾り付きのエッジである小さい曲げられたふち飾り処置部を有し得る。
2005533197.tif 000002
【特許請求の範囲】
【請求項１】
一体的な丸編みのブランクから形成されたブラジャーであって、
胴部を備えた胴包囲形状を有している本体を具備し、前記胴部は、外側繊維層と内側繊維層とを有し、これら外側繊維層と内側繊維層との各々は、一体的に編まれた留め胸バンドにシームレスに接合された下エッジを有し、
前記留め胸バンドは、前記外側繊維層によって隠されている、ブラジャー。
【請求項２】
ブラジャーは、１対のブレストカップを具備している、請求項１のブラジャー。
【請求項３】
ブラジャーは、前記１対のブレストカップの間に配置された中央まちパネルを具備している、請求項２のブラジャー。
【請求項４】
前記内側繊維層は、前記１対のブレストカップの間の支持領域で編まれている、請求項２のブラジャー。
【請求項５】
前記内側繊維層は、前記１対のブレストカップの下の支持領域で編まれている、請求項２のブラジャー。
【請求項６】
前記一体的に編まれた留め胸バンドは、留め胸バンドに糸を付加することによって補強されている、請求項１のブラジャー。
【請求項７】
前記糸は、多繊維フラットヤーンと、テキスチャード加工ナイロン糸と、紡績糸と、エラストマー糸とから成るグループから選択されている、請求項６のブラジャー。
【請求項８】
前記糸は、合成の連続的な多繊維フラットヤーンと、テキスチャード加工ナイロン糸と、紡績糸と、エラストマー糸とから成るグループから選択されている、請求項６のブラジャー。
【請求項９】
前記糸は、エラストマー糸である、請求項６のブラジャー。
【請求項１０】
前記糸は、外側繊維層と内側繊維層を形成するのに使用される糸よりも太いデニールを有している、請求項６のブラジャー。
【請求項１１】
前記糸は、スパンデックスである、請求項６のブラジャー。
【請求項１２】
前記糸は、１２０乃至４２０の範囲内のデニールを有している、請求項６のブラジャー。
【請求項１３】
前記一体的に編まれた留め胸バンドは、編みと、ミスと、タックとから成るグループから選択された１つ以上のステッチを利用して形成されている、請求項１のブラジャー。
【請求項１４】
前記外側繊維層は、綿と、ナイロンと、エラストマースパンデックスと、これらのものの所定の組み合わせとから成るグループから選択された１つ以上の糸で形成されている、請求項１のブラジャー。
【請求項１５】
前記外側繊維層は、ナイロンとスパンデックスでできている、請求項１のブラジャー。
【請求項１６】
前記外側繊維層の１つ以上の糸は、１０乃至２００の範囲内のデニールを有している、請求項１のブラジャー。
【請求項１７】
前記外側繊維層は、平編みと、ミスと、タックとから成るグループから選択された１つ以上のニットステッチにより形成されている、請求項１のブラジャー。
【請求項１８】
前記内側繊維層は、綿と、ナイロンと、エラストマースパンデックスと、これらのものの所定の組み合わせとから成るグループから選択された１つ以上の糸で形成されている、請求項１のブラジャー。
【請求項１９】
前記内側繊維層の１つ以上の糸は、２０乃至１２０の範囲内のデニールを有している、請求項１８のブラジャー。
【請求項２０】
前記内側繊維層の１つ以上の糸は、連続的な多繊維の細いデニールのナイロンマイクロファイン繊維である、請求項１のブラジャー。
【請求項２１】
前記内側繊維層は、平編みと、ミスと、タックとから成るグループから選択された１つ以上のニットステッチにより形成されている、請求項１のブラジャー。
【請求項２２】
一体的な丸編みブランクから形成されたブラジャーであって、
胴包囲形状を有している本体と、
胴部とを具備し、この胴部は、外側繊維層と内側繊維層とを有し、これら外側繊維層と内側繊維層との各々は、一体的に編まれた補強留め胸バンドにシームレスに接合された共通の下エッジを有し、
前記胸バンドは、外側繊維層によって隠され、また、
このブラジャーは、ブラジャーの底部に装飾的なエッジを具備している、ブラジャー。
【請求項２３】
前記ブラジャーは、１対のブレストカップを具備している、請求項２２のブラジャー。
【請求項２４】
前記ブラジャーは、前記１対のブレストカップの間に配置された中央まちパネルを具備している、請求項２２のブラジャー。
【請求項２５】
前記装飾エッジは、スカロップ形のエッジである、請求項２２のブラジャー。
【請求項２６】
前記スカロップ形のエッジは、編み及びミスステッチパターンと編み及びタックステッチパターンとを組み合わせることによって形成されている、請求項２５のブラジャー。
【請求項２７】
一体的な丸編みブランクから形成されたブラジャーであって、
胴包囲形状を有している本体と、
胴部とを具備し、この胴部は、外側繊維層と内側繊維層とを有し、これら外側繊維層と内側繊維層との各々は、小さい曲げられた縁飾りにシームレスに接合された下エッジを有し、これら外側繊維層と内側繊維層とは、二重の層を形成しており、
前記小さい曲げられた縁飾りは、外側繊維層によって隠され、
前記小さい曲げられた縁飾りは、ブラジャーの底部を形成している、ブラジャー。
【請求項２８】
前記ブラジャーは、１対のブレストカップを具備している、請求項２７のブラジャー。
【請求項２９】
前記ブラジャーは、前記１対のブレストカップの間に配置された中央まちパネルを具備している、請求項２７のブラジャー。
【請求項３０】
前記小さい曲げられた縁飾りは、ごく少数のコースから構成された所定の短い縁飾りである、請求項２７のブラジャー。
【請求項３１】
前記小さい曲げられた縁飾りは、縁飾り構成物を完成するように、回転式のビットで保持されたループを利用して形成されている、請求項２７のブラジャー。
【請求項３２】
前記縁飾りは、８乃至２４コースである、請求項２７のブラジャー。
【請求項３３】
ブラジャーを製造するための１つのブランクであって、
外側繊維層と、
この外側繊維層と一体的に編まれた内側繊維層と、
留め胸バンドとを具備し、
前記外側繊維層と内側繊維層との各々は、底エッジを備えた上胴部を有し、
前記留め胸バンドは、外側繊維層と内側繊維層との間に配置され、
前記内側繊維層と留め胸バンドとが接するところに折り線が形成されている、ブランク。
【請求項３４】
前記内側繊維層は、柔軟性と、快適さと、好芯性との特性を有している糸で形成され、かつ着用者に快適さを与えるような１つ以上のニットステッチを有している、請求項３３のブランク。
【請求項３５】
前記外側繊維層は、綿と、ナイロンと、エラストマースパンデックスと、これらのものの所定の組み合わせとから成るグループから選択された１つ以上の糸と、ナイロン糸とを有している、請求項３３のブラジャー。
【請求項３６】
前記折り線は、スカロップ形のエッジのように編まれている、請求項３３のブランク。
【請求項３７】
前記スカロップ形のエッジは、非伸縮性糸の編み及びミスステッチと、エラストマー糸の編み及びタックステッチとを利用した所定の組み合わせのステッチによって形成されている、請求項３６のブランク。
【請求項３８】
前記折り線は、８ないし２４コースの小さな小さく曲げられた縁飾りである、請求項３３のブラジャー。
【請求項３９】
前記小さい曲げられた縁飾りは、編み作業が続く間に、支持されたループをシリンダーニードルからシリンダーニードルへと移すことによって、全体にシリンダーニードルによって形成される、請求項３８のブラジャー。
【請求項４０】
ブラジャーを形成する方法であって、
ほぼ円筒形の丸編みされた単一の繊維層のブランクを形成することと、
一体的に編まれた補強された単一繊維層の留め胸バンドに、このバンドの底部が折り線を形成するようにシームレスに接合される底エッジを有する第１のほぼ円筒形の上胴部を形成することと、
前記一体的に編まれた補強単一繊維層の留め胸バンドにシームレスに接合される底エッジを有する第２のほぼ円筒形の上胴部を形成することと、
各上胴部に１対の前ストラップ部と１対の後ストラップ部とを形成し、襟ぐりと袖ぐりとを規定することと、
襟ぐりと袖ぐりとを規定するように、各上胴部の、前記ストラップ部に近い領域を切断して除去することと、
第１の胴部と第２の胴部とを、これら第１の胴部、第２の胴部が夫々にブラジャーの外側層、内側層になるような形で、一緒に仮縫いすることと、
右側前ストラップ部の先端部と右側後ストラップ部の先端部とを接合させて、右側ストラップを形成することと、
左側前ストラップ部の先端部と左側後ストラップ部の先端部とを接合させて、左側ストラップを形成することとを具備している、方法。
【発明の詳細な説明】
【技術分野】
【０００１】
本発明は、ブラジャーと、ブラジャーを作るためのブランクと、丸編機でブラジャーとブランクとを作る方法とに関し、更に詳細には、ブラジャーが内側織物層と外側織物層と、これら内側層と外側層とを接続させた一体的に編まれたの隠された留め胸バンドとを有している丸編機のブランクから形成されるブラジャーに関する。
【背景技術】
【０００２】
ブラジャーの製造でほぼ円筒形のブランクを使用することが知られている。例えば、米国特許No.４、５３１、５２５は、両端部に１対の縁飾りバンドを有する環状のブランクを製造するために丸編機を使用することについて説明している。前胴部は、これら縁飾りの一方に編まれている。１対のブレストカップは、前胴部に様々のステッチを利用した編みコースを有するように形成されている。ストラップ、後胴部は、夫々に、前胴部、他方の縁飾りに編まれている。ブラジャーを作るために、円筒形のブランクが、長手方向に細長く切られ、平らに置かれる。そして、平らなブランクは、襟ぐりと袖ぐりとに沿って、ストラップと後胴部とを規定するように切断される。このブランクは、折り曲げられ、２つの縁飾りと前部と後部とが、一緒に縫われる。この方法は、露出された縁飾り固定部を有する単一構造のブラジャーを形成するものである。
【０００３】
米国特許No.５、５５３、４６８と５、５９２、８３６とは、ブラジャーを作るための円筒形のブランクについて説明している。各ブランクは、ブランクの１端部に１つの縁飾りを有しており、これに、前胴部と後胴部とが編まれる。ブラジャーを作るために、襟ぐりと袖ぐりとの領域が、このブランクから切断され、前胴部、後胴部に、前ストラップ部、後ストラップ部を夫々規定する。前ストラップと後ストラップとは、ブラジャー構成物を完成するように、一緒に縫い合わされる。ブラジャーは、単一繊維層と、露出された留め胸バンドとを有する。
【０００４】
Rabinowiczに許可された米国特許No.６、２８７、１６８は、２層を有する環状ニット繊維ブランクから形成されたブラジャーについて説明している。各層は、ブランクが１セットのブレストカップを他方のセットのブレストカップにかぶさるように折り曲げられるバンド領域で鏡で映したように配置された１対のブレストカップを有している。かくして、ブラジャーは、２層構造を有している。バンド領域は、折り曲げ部により薄い繊維領域を作るように編み作業中に一連のコースを除去することによって形成される。完成されたブラジャーは、２つの繊維層と、露出された留め胸バンドとを有する。
【発明の開示】
【発明が解決しようとする課題】
【０００５】
かくして、外側繊維層と内側繊維層と一体的に編まれた補強留め胸バンドとを有する環状ニットブランクから形成された２層ブラジャーへの需要が存在している。糸が付加されると、補強留め胸バンドの密度と係数とが高くなる。外側繊維層と補強留め胸バンドとの間の密度の差が、ブラジャーが折り曲げられる境界線を形成する。留め胸バンドは、折り曲げられたブラジャーの外側繊維層によって隠されている。
【０００６】
本発明の目的は、シームレス環状ニットブラジャー、あるいは、内側繊維層と、外側繊維層と、好ましくは、これら内側繊維層と外側繊維層とにシームレスに編まれた一体的に編まれた留め胸バンドとを有しているブラジャーブランクから形成されたブラを提供することである。
【０００７】
本発明の更なる目的は、外側繊維層と留め胸バンドが接する領域に形成された境界線を有しているブラジャーを提供することである。付加されるスパンデックスの糸が、スパンデックスの糸の付加が成されない外側繊維層よりも大きい係数と密度とを有する補強内側留め胸バンドを形成する。内側留め胸バンドの大きい係数と密度とは、留め胸バンドの前記領域を、折れもしくは湾曲に耐えるものにする。内側補強留め胸バンドと外側繊維層との対照的な繊維密度が、留め胸バンドに沿って自然な折り線を生み出し、これによって、密度が低く係数が小さい外側層は、補強内側留め胸バンドに沿って折り曲げられる。
【０００８】
本発明の他の目的は、留め胸バンドが外側層によって隠されている完成品のブラジャーを形成するように、ブラのブランクが境界線で折り曲げられているブラジャーを提供することである。
【０００９】
本発明の他の目的は、内側繊維層と外側繊維層とを形成するために使用されているものよりも太めのデニールと高密度を有するエラストマー糸が、高い係数を有し着用者に対する支持を与える補強留め胸バンドを与えるために、編み作業中に付加されるブラジャーを提供することである。
【００１０】
本発明の他の目的は、外側繊維層が留め胸バンドに接する領域が、直線状の平らなエッジを有するブラジャーを形成するための折り線を規定しているブラジャーを提供することである。
【００１１】
本発明の他の目的は、内側繊維層と、外側繊維層と、これらの内側繊維層と外側繊維層との間にシームレスに編まれた一体的に編まれた補強留め胸バンドとを有し、底部が、編み作業中に形成されるスカロップ形もしくはピコット編みのエッジのような装飾エッジ内に編みこまれているシームレス環状ニットブラジャーを提供することである。
【００１２】
本発明の他の目的は、内側繊維層と、外側繊維層と、これら内側繊維層と外側繊維層とにシームレスに編まれた一体的な小さい曲げられた縁飾り（mini-turned welt）とを有し、外側繊維層と小さい曲げられた縁飾りとが接触する領域は、完成品のブラジャーを与えるようにブランクが折り曲げられる境界線を形成している、シームレス環状ニットブラジャーを提供することである。小さい曲げられた縁飾りは、所定の最少数のコースにわたる短い曲げられた縁飾りである。例えば、小さい曲げられた縁飾りは、当分野の当業者に公知の方法を利用して、所定の最少数のコースにわたる所定の短い縁飾りを編む間にシリンダーニードルからシリンダーニードルへと保持されたループを移すことによって、あるいは、縁飾り構成物を完成させるために回転式のビット上で保持されたループを使用することによって、全体的にシリンダーニードルによって形成され得る。
【００１３】
本発明の他の目的は、折り線として機能して、隠された留め胸バンドに編み込まれ得るブラジャーの直線状のビーズのような底エッジを形成する小さい曲げられた縁飾りを有するブラジャーを提供することである。
【課題を解決するための手段】
【００１４】
本発明のこれらの及び他の目的と利点とは、外側繊維と内側繊維とを備えた胴部包囲形状を有するブラジャーによって果たされる。外側繊維と内側繊維とは、編み作業中にシームレスに接合される互いの下エッジで接触する。外側繊維と内側繊維とは、外側繊維の下エッジが内側補強留め胸バンドに編み込まれて折り線を形成し、また、胴部包囲留め胸バンドは、外側繊維によって隠されている、２層のブラジャーを形成する。
【００１５】
本発明のブラジャーを形成する１つの方法は、ほぼ円筒形のブランクを最初に形成する工程を有している。このブランクは、第１及び第２の上胴部を有している。各上胴部は、底エッジを有している。上胴部と下胴部とは、底エッジでシームレスに接合されている。スパンデックスで補強された留め胸バンドは、内側繊維層に配置されており、高い係数を有する補強留め胸バンドが低い係数を有する外側繊維層と接触する領域に、折り線を形成している。１対の前及び後ストラップは、各上胴部に形成されて襟ぐりと袖ぐりとを規定するか、もしくは、これらストラップは、従来のような別個の作業によって付加されてもよい。各上胴部の、ストラップに近い領域は、襟ぐりと袖ぐりとを規定するように切断されて除去される。第１及び第２の上胴部は、共に仮縫いされ、第１の胴部、第２の胴部が夫々にブラジャーの上胴部、外側胴部になるように完成される。ストラップの先端部は、共に接合されて、右側及び左側のストラップ、もしくは、ストラップのプラットホームを形成する。
【００１６】
本発明の以上の及び他の目的と利点とが、添付図面に関連した本発明の好ましい実施形態についての以下の詳細な説明によって明らかになるだろう。
【発明を実施するための最良の形態】
【００１７】
図面、特に図１及び２を参照すると、本文を通して参照符号１０で示されている本発明のブラ、即ち、ブラジャーが図示されている。このブラジャー１０は、外側繊維、即ち、外側繊維層２０と、内側繊維、即ち、内側繊維層５０と、この内側層５０に編み込まれて外側繊維層と内側繊維層とを接合している留め胸バンド７０とを有している。留め胸バンド７０は、好ましくは、ブラジャー１０を着用者の体に固定し、外側繊維層２０によって隠されるような胴包囲形状を有し、太めのデニールのスパンデックスで補強された繊維構造体である。
【００１８】
外側繊維層２０は、上胴部２３とブラ底部３５とを有している。この上胴部２３は、底部３５で、留め胸バンド７０と一体的になるようにシームレスに接合されている。好ましい実施形態では、上胴部２３は、好ましくは、これに形成された、１対のブレストカップ２５と、第１の、即ち右側前ストラップ、即ち、ストラップ部２６と、第２の、即ち左側前ストラップ、即ち、ストラップ部２７と、第１の、即ち右側後ストラップ、即ち、ストラップ部２８と、第２の、即ち左側後ストラップ、即ち、ストラップ部２９とを有している。しかしながら、本発明は、従来のタイプ、ストラップなしのタイプ、レーサーバックタイプ（lacer back）、もしくは、ホールターネックタイプのブラジャーでも実施され得ることが理解されるだろう。
【００１９】
前記内側繊維層５０は、上胴部５３を有している。この上胴部５３は、留め胸バンド７０と一体的になるようにシームレスに接合された下エッジ３５を有している。好ましい実施形態では、上胴部５３は、第１の、即ち右側前ストラップ５６と、第２の、即ち左側前ストラップ５７と、第１の、即ち右側後ストラップ５８と、第２の、即ち左側後ストラップ５９と、２つのブレストカップ、即ち領域２５の間に配置された中心のギャザーパネル領域５４とを有している。
【００２０】
図１に示された好ましい実施形態では、留め胸バンド７０は、外側繊維層２０と内側繊維層５０とを接合させている。この留め胸バンド７０は、この内側繊維留め胸バンド部の繊維の密度が、外側繊維層２０と内側繊維層５０とを形成するのに用いられた繊維及び糸の密度よりも大きくなるように、付加的な／太いデニールの裸のスパンデックスのエラストマー糸、または、好ましくはないが、ナイロンなどを丸編み処理中に加えることによって形成される。密度が高い糸をこのように加えられたことで、胸バンドの係数と、力と、伸長特性との向上を与えて、ブラジャー１０を着用者の体に適当に固定している間の、下着の着用者に対する機能的なフィット性と快適さとのレベルを促進する。太目のデニールのスパンデックスは、留め胸バンド７０の伸縮及び回復機能特性に更なる力を与え、ブラジャー１０が着用者の体の上であるべき位置に保持されるのを確実にする。
【００２１】
好ましくは、留め胸バンド７０は、付加的なエラストマー糸、好ましくは、１２０乃至４２０デニールの範囲のスパンデックスによって形成されている。より好ましくは、エラストマーのスパンデックス糸が、duPontによって製造され、Lycraという商標名で市販されている。好ましい１つの実施形態では、エラストマー糸が、４コースごとに加えられ、これによって、留め胸バンド７０の係数及びパワーの制御の向上を実現する。
【００２２】
太目のデニールのスパンデックス糸が付加された留め胸バンド７０と、比較的密度の低い領域、即ち、内側繊維層５０及び外側繊維層２０との間の密度の差が、手動での折り作業のとき、あるいは、ブランクを基本的に長く延びた折り曲げ縁飾りとして編むときにブランクがこれ自体に折り曲げられるようになる境界線を作る。図５は、ブラジャー１０の二重構造を図示している図１、２及び３の線３−３に沿って切断された拡大断面図である。
【００２３】
図６は、硬い糸のフラットもしくはテキスチャード加工のナイロンフィードニット（nylon feed knit）と、図２の実施形態のような装飾的なスカロップ形のエッジ処置部を形成するために利用されるミス（miss）ステッチパターン技術とを図示している。図７は、スカロップ形の装飾エッジを形成するために利用される覆われたスパンデックス糸の編み及びタックパターンを図示している。図６と図７の両方を組み合わせた糸及びステッチ技術が、図８に示されており、図２に示された実施形態でのスカロップ形の装飾的なエッジ処置のされたブラジャーを形成するために利用される。
【００２４】
図２に示された本発明の他の実施形態では、完成した装飾的なスカロップ形もしくはピコット編みのエッジが、ブラ底部３５に形成されている。スカロップ形のエッジは、ギャザータックポイント方法（gathering tack point method）を利用して形成されている。この実施形態は、好ましくは、２．５４cmにつき２８針の割合の丸編機で編まれている。編み及びミスや編み及びタックパターンなどの組み合わせは、１つのニードルによって規則正しい間隔で横方向に繰り返される。例えば、編みとタックパターンとの組み合わせは、丸編機のシリンダーの外周に沿って２４針ごとに繰り返され得る。ギャザータックポイントの縦方向、即ち、垂直方向での繰り返しは、長さ方向で３２ないし４０コースから始まると好ましく、これによって、間隔を置いて保持されるループステッチポイントが、編み作業中にブラ低部３５に沿って形成される。図８は、スカロップ形のエッジを形成するのに利用されるタックステッチポイント方法を図示している。また、隠される一体的に編まれた留め胸バンド７０は、スカロップ形のエッジの編み物構成物が完成されたところから始まる内側繊維層５０中に組み込まれ、かくして、ブラジャー１０のスカロップ形のエッジ処置部で折り線を規定している。
【００２５】
図３に示された本発明のあまり好ましくない１つの実施形態では、ブラジャー１０は、小さな、即ち、小さい曲げられた縁飾り８０を有し、この縁飾りが、ブラ底部３５で外側繊維層２０と内側繊維層５０とを接合させている。この実施形態では、小さい曲げられた縁飾り８０が、比較的少ないコースを使用して編まれ、滑らかな外側繊維層２０と、完成されたビーズ飾り付きのエッジを備えたブラ底部３５とを有するブラジャーを与えている。小さい曲げられた縁飾り８０は、所定の最少数のコースにわたって所定の短い縁飾りを編む作業が続く間、全体に、シリンダーニードルからシリンダーニードルへと保持されたループを移すことによって、シリンダーニードルによって形成される。小さい曲げられた縁飾り８０は、好ましくは、８コースから２４コースまでの反復長を利用して形成され、この結果、幅が０．３１７５cm（１／８インチ）ないし０．６３５cm（１／４インチ）の領域を形成する。小さい曲げられた縁飾り８０は、外側層２０が内側層５０に重なる折り曲げ部をもたらすように機能する。前記の好ましい実施形態では、補強留め胸バンドが、内側層に編み込まれている。このあまり好ましくない実施形態では、内側層に補強留め胸バンドを編み込むことなく、エッジ処置部が使用され得る。
【００２６】
シーム３３が、右側前ストラップ２６、５６と、右側後ストラップ２８、５８とを共に接合している。シーム３４が、左側前ストラップ２７、５７と、左側後ストラップ２９、５９とを共に接合している。外側繊維層２０と内側繊維層５０とは、外側シーム１２で共に接合されている。外側シーム１２は、当分野で公知の付着主段を利用して形成され得る。そのような付着方法の例は、ソーイング、熱可塑性接着剤か他の接着タイプの材料を利用した熱による張り合わせ（heat lamination）、超音波もしくは音波溶接、もしくは、これらのものの所定の組み合わせを有する。
【００２７】
外側繊維層２０は、１つ以上のニットステッチの組み合わせを利用して丸編機によって形成される。このようなステッチは、非限定的に、平編み、タック、編み、ミス、もしくはフロートステッチを含む。外側繊維層２０は、平編みの外観を有するか、あるいは、任意で、ジャガード織りパターンデザイン、幾何学、様式化されたロゴ、抽象的なもの、もしくは、花などの他のデザインもしくはパターンを非限定的に含む、独特の美的でかつ見分けがつく特徴を有してもよい。
【００２８】
外側繊維層２０は、美的な連続した多繊維フラットヤーンかテキスチャード加工ポリマー糸か紡績糸かであると好ましい。外側繊維層は、また、裸のスパンデックスや、テキスチャード加工の多繊維ナイロン糸で覆われたスパンデックスなどのエラストマー糸を有していると好ましい。複数の糸の組み合わせが、約４０／１乃至約６０／１の番手の範囲内の綿のような紡績糸か、１０乃至２００デニール、好ましくは約８０乃至約１２０デニールのナイロンのような合成の連続した多繊維フラットヤーンかテキスチャード加工糸かを含み得る１つの繊維を形成する。
【００２９】
内側繊維層５０は、柔軟性と、快適さと、好芯性（wicking）との特性によって選択された複数の糸で形成される。内側繊維層５０は、１つ以上のステッチの組み合わせを有する複数の糸を有し、着用者に対して身体的な快適さと支持とを与える。内側繊維層５０は、比較的多数の、約２０乃至約１２０の細いデニールの繊維かマイクロファイン繊維から成るテキスチャード加工ナイロンか、約４０／１乃至約６０／１の番手の大きさの範囲内の綿のような紡績糸かによって形成される。このような意図は、柔軟性と、快適さと、好ましい好芯性の特性とを与える。内側層は、また、スパンデックスのようなエラストマーストレッチ糸を含んでもよい。内側繊維層５０の編みの構造は、潜在的に付加可能な糸による従来のニットステッチの所定の組み合わせ、もしくは、支持もしくは持ち上げ（lift）を与えるように戦略的に設計された領域に付加された、トルーシンカー（true sinker）で作られたテリーループのような編みの構造であってよい。このように設計された領域は、例えば、ブレストカップ２５の下にあるか、２つのブレストカップ２５の間の中央ギャザーパネル領域５４内にある。
【００３０】
図４を参照すると、ブラジャー１０は、Brescia、ItalyのSantoniによって製造されている丸編機の型番SM8-8あるいはSM8-83などの、好ましくは電子化された電子ニードルと糸供給選択システムとを有した丸編機によって形成されたブランク９０から作られる。
【００３１】
半加工部の９０は、ブラジャー１０を製造中にブラジャーの部分に対応するような部分を有するほぼ円筒形の管である。このため、図１、２及び３を参照しながら用いられた上記の参照符号に対応する参照符号が、重要な表記を有する図４にも採用され得る。
【００３２】
ブランク９０は、外側繊維２０’と内側繊維５０’とを有している。外側繊維２０’は、上胴部２３’と、１対の外側前ストラップ２６’、２７’と、１対の外側後ストラップ２８’、２９’とを有している。内側繊維５０’は、上胴部５３’と、１対の前ストラップ５６’、５７’と、１対の後ストラップ５８’、５９’とを有している。
【００３３】
ブランク９０は、環状の横編みされた一連のコースによって形成されている。図４として示された図では、完成したブランクが、基本的に、一層構造の連続的な管状繊維として編まれている。この管状繊維は、折り線で折り曲げられ、最終的に２層の構造体を形成する。あるいは、２層の繊維構造体は、丸編機によって当分野で公知の方法で、連続した長い曲げられた縁飾りとして編まれ得る。
【００３４】
上胴部２３’、５３’は、編み、タック、ミス、もしくはこれらの組み合わせのような１つの編みの構造を主に有するように形成される。縁飾りのニットステッチは、ブランク９０の様々の位置で、例えばブレスト領域２５’と中央ギャザー領域５４’とでは支持を与えるなど、夫々に特別な特徴を与えるために、適当に利用され得る。
【００３５】
ブラジャー１０を製造するために、ブランク９０が、ストラップ部２６’、２８’、２７’、２９’、５６’、５８’、５７’、５９’の近くの領域を除去することによって上胴部２３’、５３’を形成するように切断され、これによって、ブラジャー１０の襟ぐりと袖ぐりとを規定する。続いて、外側繊維層２０’が、内側繊維層５０が留め胸バンド７０に接触するところに形成された折り線で内側繊維層５０’に重なるように折り曲げられる。ストラップ部２６’、２８’、５６’、５８’の先端部は、シーム３３で一緒に縫われ、ブラジャー１０の右側ストラップを形成する。ストラップ部２７’、２９’、５７’、５９’の先端部は、シーム３４で一緒に縫われ、ブラジャー１０の左側ストラップを形成する。外側繊維層２０’と内側繊維層５０’とは、仮縫い部１２で一緒に仮縫いされる。仮縫い部１２は、当分野で公知の付着手段を用いて完成され得る。このような付着方法の例は、ソーイング、熱可塑性接着剤か他の接着タイプの材料を利用した熱による張り合わせ（heat lamination）、超音波もしくは音波溶接、もしくは、これらのものの所定の組み合わせを有する。
【００３６】
本発明は、好ましい実施形態を特に参照しながら説明されている。上述の説明と例とは、本発明の単なる例に過ぎないことが理解されるであろう。様々の代替例と変形例とが、本発明の範囲と精神とから逸脱することなく、当分野の当業者によって考えられ得るだろう。従って、本発明は、添付請求項の範囲内に収まる全ての代替例と変形例とを包含するように意図されている。
【図面の簡単な説明】
【００３７】
【図１】本発明の一実施形態に係わるブラジャーの斜視図である。
【図２】本発明の他の実施形態に係わるブラジャーの斜視図である。
【図３】本発明の第３の実施形態に係わるブラジャーの斜視図である。
【図４】図１、２、３のブラジャーの製造で使用するための本発明に係わるほぼ円筒形のブランクの斜視図である。
【図５】図１、２、３の線３−３に沿って切断された拡大断面図である。
【図６】非伸縮性の糸を使用して本発明の隠される留め胸バンドに編み込まれるスペースドスカロップ形装飾エッジ処置部を形成するために利用されるニットステッチ技術のための編み及びミスステッチパターンの拡大図である。
【図７】エラストマー糸を使用した内側繊維層の留め胸バンドと一体的に編まれたスペースドスカロップ形装飾エッジ処置部を形成するために利用される編み及びタックパターン技術の拡大図である。
【図８】図７のようなエラストマー糸と図６のように編まれた非伸縮性の糸との組み合わせの拡大図であり、この組み合わせが、ブラの綿布にスカロップ形のエッジを形成するためのギャザータックポイントステッチ方法を形成する。
【図１】
2005533197.tif 000003
【図２】
2005533197.tif 000004
【図３】
2005533197.tif 000005
【図４】
2005533197.tif 000006
【図５】
2005533197.tif 000007
【図６】
2005533197.tif 000008
【図７】
2005533197.tif 000009
【図８】
2005533197.tif 000010
【国際調査報告】
2005533197.tif 000011